(57)【要約】      （修正有）【課題】着脱時の手間が軽減され、補整材の配置も容易であって多様な体型に柔軟に対応することが可能であり、かつ着用時に着崩れしにくい和装用下着を提供する。【解決手段】和装用下着は、２つの肩掛け部３を介して繋がり、当該２つの肩掛け部の間に開口を有する前身頃１と後身頃２を備え、前身頃と後身頃の少なくとも一方は、重ね合わされた二枚の布地を有しており、二枚の布地は、少なくとも下端で互いに固定され、かつ上端と下端の間の少なくとも一部において互いに分離して着用者の胴回り方向に貫通する空間部３１、３２を形成可能に構成されており、空間部に補整材を装填して用いられることを特徴とする。【選択図】図１
0003179827.tif 000002
【実用新案登録請求の範囲】
【請求項１】
２つの肩掛け部を介して繋がり、当該２つの肩掛け部の間に開口を有する前身頃と後身頃を備え、
前記前身頃と前記後身頃の少なくとも一方は、二枚の布地を有しており、
前記二枚の布地は、少なくとも下端で互いに固定され、かつ前記上端と前記下端の間の少なくとも一部において互いに分離して着用者の胴回り方向に貫通する空間部を形成可能に構成されており、
前記空間部に補整材を装填して用いられる、ことを特徴とする和装用下着。
【請求項２】
前記前身頃と前記後身頃は前記２つの肩掛け部でのみ繋がっている、請求項１に記載の和装用下着。
【請求項３】
前記二枚の布地はさらし布である、請求項１又は２に記載の和装用下着。
【請求項４】
前記補整材は綿である、請求項３に記載の和装用下着。
【請求項５】
前記前身頃における前記空間部は、前記着用者の腹部の位置に対応するように前記二枚の布地の下端側に形成される、請求項１〜４の何れか１項に記載の和装用下着。
【請求項６】
前記後身頃における前記空間部は、前記着用者の腰部から臀部の位置に対応するように前記二枚の布地の下端側に形成される、請求項１〜５の何れか１項に記載の和装用下着。
【請求項７】
前記前身頃における前記二枚の布地は、その上端側において互いに分離して前記着用者の胸部の位置に対応する第２の空間部を形成可能に構成されている、請求項１〜７に記載の和装用下着。
【請求項８】
前記後身頃における前記二枚の布地は、その上端側において互いに分離して前記着用者の背部の位置に対応する第３の空間部を形成可能に構成されている、請求項１〜７に記載の和装用下着。
【請求項９】
前記二枚の布地は、上端側においても互いに固定されている、請求項１〜８の何れか１項に記載の和装用下着。
【考案の詳細な説明】
【技術分野】
【０００１】
本考案は、和服（着物）を着用する際においてその下に着用される和装用下着に関し、特に女性が和服を着用する際の体型補整に用いられる和装用下着に関する。
【背景技術】
【０００２】
従来、特に女性が和服を着用する際には、外見上で体型が寸胴に見えることが美しいとされている。しかし、一般に男性に比べて女性は胸や腰まわりなどのボディラインの起伏が大きいため、単に和服を着用するとこのボディラインの起伏が外見上にも表れ、体型が寸胴となりにくい。このため、和服を着用する際にはその外見上の体型を補整するために、例えばタオル等の補整材を和服と着用者の身体の間に挟むなどの工夫がなされていた。しかし、このような方法では和服を着用するまでの間に補整材を所望の位置で安定させるのが難しく、また着用中に補整材が移動して着崩れをおこす場合もあった。他方で、補整材が予め縫い付けられた和装用下着、補整材を挿入するためのポケットを有する和装用下着、腹部に直接巻き付けて使用する補整パットなども存在するが、いずれも補整材の位置が固定的であり、多様な体型、身長をもつ現代の女性に対して柔軟に対応することが難しかった。
【０００３】
これに対し、和服着用時の体型補整を容易にするために工夫したものとして、例えば実用新案登録第３０３９４６５号公報（特許文献１）には和装用補整ファンデーションが開示されている。この和装用補整ファンデーションは、身体の胸部から臀部下部までの全周囲を覆うための筒状胴体部を伸縮性布地で構成して、各種の補整材を身体との間に保持できるようにしたことを特徴とするものである。
【０００４】
しかしながら、上記した特許文献１の和装用補整ファンデーションは、いわゆるボディスーツのように身体の胸部から臀部下部までにぴったりとフィットさせて着用してその布地と身体との間に補整材を挿入するものであるため、補整材を所望の位置へ配置することが難しい場合もある。また、この和装用ファンデーションは、布地の伸縮性を活かして布地と身体の間で補整材を保持するものであるため、着用後に脱ぐときにはそのまま脱ぐと補整材がこぼれ落ちてしまい片付けに労を要すると考えられる。他方で、和装用ファンデーションを脱ぐのに先だって補整材を取り出しておくことも考えられるが、上記したように挿入するのが難しい場合があることの裏返しで取り出しに多大な手間を要すると考えられる。特に、成人式などのイベントに対応して多くの人に短時間で体型補整をして和服を着用させ、あるいは着用後に和服を脱がせることを考えると、上記したような着脱の手間を極力軽減することが和服を着用する側、それを手伝う側の双方から望まれていた。
【先行技術文献】
【特許文献】
【０００５】
【特許文献１】実用新案登録第３０３９４６５号公報
【考案の概要】
【考案が解決しようとする課題】
【０００６】
本考案は、着脱時の手間が軽減され、補整材の配置も容易であって多様な体型に柔軟に対応することが可能であり、かつ着用時に着崩れしにくい和装用下着を提供することを目的とする。
【課題を解決するための手段】
【０００７】
本考案にかかる一態様の和装用下着は、（ａ）２つの肩掛け部を介して繋がり、当該２つの肩掛け部の間に開口を有する前身頃と後身頃を備え、（ｂ）前身頃と後身頃の少なくとも一方は、二枚の布地を有しており、（ｃ）二枚の布地は、少なくとも下端で互いに固定され、かつ上端と下端の間の少なくとも一部において互いに分離して着用者の胴回り方向に貫通する空間部を形成可能に構成されており、（ｄ）空間部に補整材を装填して用いられることを特徴とする和装用下着である。
【考案の効果】
【０００８】
上記構成によれば、着脱時の手間が軽減され、補整材の配置も容易であって多様な体型に柔軟に対応することが可能であり、かつ着用時に着崩れしにくい和装用下着が得られる。
【図面の簡単な説明】
【０００９】
【図１】図１は、一実施形態の和装用下着の構成を示す斜視図である。
【図２】図２は、この和装用下着の側面図である。
【図３】図３は、本実施形態の和装用下着の使用状態を説明するための模式図である。
【考案を実施するための形態】
【００１０】
以下に、本考案の実施の形態について図面を参照しながら説明する。
【００１１】
図１は、一実施形態の和装用下着の構成を示す斜視図である。また、図２は、この和装用下着の左側面図である。各図に示す和装用下着は、主に女性が和服を着用する際にその下に着用し、外観上の体型を補整するために用いられるものであり、前身頃１、後身頃２、面ファスナー５および巻紐６を備える。なお、図示の都合上、図２では巻紐６を省略して示す。前身頃１と後身頃２は、それぞれの上端において２つの肩掛け部３を介して繋がっており、これらの肩掛け部３の間には、着用者の頭部、首を通すための開口４が設けられている。巻紐６は、着用者の腹部側から背部側に巻回し、さらに腹部側へ戻すように巻回すことが可能な長さを有しており、和装用下着の着用状態をより安定化させるために用いられる。
【００１２】
詳細には、前身頃１と後身頃１は２つの肩掛け部３でのみ繋がっており、それ以外の部分は互いに分離している。これにより、着用者は着用時に胸側と背面側のそれぞれに前身頃１と後身頃２を重ねるようにすればよく、腕を通す動作が不要となるため非常に着用しやすい。また、面ファスナー４によって片方の肩掛け部３が着脱自在になっているので、和服に合わせて頭髪を整えた後の着用者が着用する際に、面ファスナー４を開放して首から回すようにして着用できるので頭髪が乱れず都合がよい。なお、面ファスナー４は、これに代えてボタン、スナップボタン、鉤ホック等を用いることも可能である。
【００１３】
図２に示すように、前身頃１は、重ね合わせることも可能な二枚の布地１１ａ、１１ｂを有している。これら二枚の布地１１ａ、１１ｂは、下端１４で互いに縫合されることによって固定され、かつ上端である肩掛け部３においても互いに縫合されることによって固定されている。そして、図１および図２に示すように、これら二枚の布地１１ａ、１１ｂは、上端である肩掛け部３と下端１４の間の少なくとも一部において互いに分離して、着用者の胴回り方向に貫通する空間部３１を形成可能に構成されている。より具体的には、この前身頃１における空間部３１は、着用者の腹部の位置に対応するように二枚の布地１１ａ、１１ｂの下端１４に近い側に形成される。さらに、前身頃１における二枚の布地１１ａ、１１ｂは、その上端側において互いに分離して着用者の胸部の位置に対応する空間部３３も形成可能に構成されている。
【００１４】
同様に、図２に示すように、後身頃２は、重ね合わされた二枚の布地１２ａ、１２ｂを有している。これら二枚の布地１２ａ、１２ｂは、下端１５で互いに縫合されることによって固定され、かつ上端である肩掛け部３においても互いに縫合されることによって固定されている。そして、図１および図２に示すように、これら二枚の布地１２ａ、１２ｂは、上端である肩掛け部３と下端１５の間の少なくとも一部において互いに分離して、着用者の胴回り方向に貫通する空間部３２を形成可能に構成されている。より具体的には、この後身頃２における空間部３２は、着用者の腰部から臀部の位置に対応するように二枚の布地１２ａ、１２ｂの下端１５に近い側に形成される。さらに、後身頃２における二枚の布地１２ａ、１２ｂは、その上端側において互いに分離して着用者の胸部の位置に対応する空間部３４も形成可能に構成されている。
【００１５】
図１に示すように、前身頃１および後身頃２の各布地は、開口４を画定する縁部４ａにおいて互いに縫合されて固定されていてもよい。これにより、上記した空間部３３および空間部３４は、着用者の身体（首や胸）に近い側が閉じた状態となる。それにより、これら空間部３３および空間部３４に補整材を装填したときに、その補整材が着用者の身体へ直接的に触れることがなくなり着心地をより良くすることができるとともに、首側へ補整材がはみ出るのを防ぐことができる。また、布地同士が散けにくくすることができる。
【００１６】
前身頃１の各布地１１ａ、１１ｂ、後身頃２の各布地１２ａ、１２ｂは、種々の材質を用いることが可能であるが、特に、薄手のさらし布（木綿の布）であることが好ましい。また、これと組み合わせて用いられる補整材３５（後述する図３参照）としても種々の材質を用いることが可能であるが、特に、綿を用いることが好ましい。ここでいう「綿」とは、繊維、または繊維状のものが絡まりあってひとまとまりの状態になっているものをいう。
【００１７】
図３は、和装用下着の使用状態を説明するための模式図である。ここでは、和装用下着の着用者１００を右半身側から見た模式的な断面図が示されている。図示のように、前身頃１において着用者１００の腹部の位置に対応して空間部３１が形成され、胸部に対応して空間部３３が形成され、着用者１００の体型に合わせてこれらの空間部３１、空間部３３に補整材３５が適量装填される。同様に、後身頃２において着用者１００の腰部から臀部にかけての位置に対応して空間部３２が形成され、背部に対応して空間部３４が形成され、着用者１００の体型に合わせてこれらの空間部３２、空間部３４に補整材３５が適量装填される。
【００１８】
このように本実施形態の和装用下着は、各空間部３１、３２、３３、３４に対して補整材３５を適宜の大きさ、量で適宜の位置へ挟み込めばよいため、補整材３５の配置が容易であり、多様な体型に柔軟に対応することが可能である。また、腹部に対応する空間部３１や腰部から臀部に対応する空間部３２は、着用者の腰回り方向に貫通するように形成されるため、腰回りに対して連続的に補整材３５を装填することが可能であり、例えば腹部や腰部の中央付近で空間部が閉じている場合に比較してより自然な体型補整が可能になる。
【００１９】
このとき、各布地１１ａ、１１ｂ、１２ａ、１２ｂと補整材３５との間の摩擦力により補整材３５が位置ズレをしにくい。上記したように各布地１１ａ、１１ｂ、１２ａ、１２ｂとしてさらし布を用い、補整材３５として綿を用いることにより、両者の間の摩擦力がより大きく得られるので補整材３５がさらに位置ズレをしにくくなる。このことは、和装用下着の上に和服を着用する前の段階においても、仮決めした補整材３５の位置がずれにくく、その後の着付けが容易になるという効果につながる。
【００２０】
また、このようにして補整材３５を装填した和装用下着の上から和服を着用することで、この和服の生地と着用者１００の身体の間に和装用下着が挟まれるので、その押圧力も利用することで補整材３５の位置ズレがさらに起きにくくなる。したがって、長時間の着用であっても着崩れを起こしにくい。
【００２１】
また、和服の着用後も、各補整材３５は前身頃１または後身頃２の内部に保持されているので和服を脱いだ後に各補整材３５が散らばることもなく、各補整材３５を装填したままの状態で和装用下着を脱いでしまうことができるため、着脱時の手間が大幅に軽減される。このことは、特に成人式などのイベントに対応して多くの人に短時間で体型補整をして和服を着用させ、あるいは着用後に和服を脱がせることを考えると、和服を着用する側、それを手伝う側の双方にとって非常に都合がよい。
【００２２】
なお、本考案は上述した実施形態の内容に限定されるものではなく、本考案の要旨の範囲内において種々に変形して実施をすることが可能である。
【００２３】
例えば、上記した実施形態における布地や補整材の材質、前身頃と後身頃の形状その他の例示事項は好適な一例に過ぎず、これらにのみ限定されるものではない。また、布地同士などを互いに固定する方法は上記した縫合にのみ限定されず、接着テープ等の代替手段であってもよい。
【００２４】
また、各空間部は、少なくとも腹部の位置に対応するもの、または腰部から臀部の位置に対応するものがあれば、より体型の起伏が激しい腰回りの体型補整が可能であるから、胸部や背部の位置に対応するものは省略されてもよい。
【符号の説明】
【００２５】
１：前身頃
２：後身頃
３：肩掛け部
４：開口
５：面ファスナー
６：巻紐
１１ａ、１１ｂ、１２ａ、１２ｂ：布地
１４、１５：下端
３１、３２、３３、３４：空間部
３５：補整材
１００：着用者
【図１】
0003179827.tif 000003
【図２】
0003179827.tif 000004
【図３】
0003179827.tif 000005
【手続補正書】
【提出日】平成24年9月12日(2012.9.12)
【手続補正１】
【補正対象書類名】実用新案登録請求の範囲
【補正対象項目名】全文
【補正方法】変更
【補正の内容】
【実用新案登録請求の範囲】
【請求項１】
２つの肩掛け部を介して繋がり、当該２つの肩掛け部の間に開口を有する前身頃と後身頃を備え、
前記前身頃と前記後身頃の少なくとも一方は、二枚の布地を有しており、
前記二枚の布地は、少なくとも下端で互いに固定され、かつ上端と前記下端の間の少なくとも一部において互いに分離して着用者の胴回り方向に貫通する空間部を形成可能に構成されており、
前記空間部に補整材を装填して用いられる、ことを特徴とする和装用下着。
【請求項２】
前記前身頃と前記後身頃は前記２つの肩掛け部でのみ繋がっている、請求項１に記載の和装用下着。
【請求項３】
前記二枚の布地はさらし布である、請求項１又は２に記載の和装用下着。
【請求項４】
前記補整材は綿である、請求項３に記載の和装用下着。
【請求項５】
前記前身頃における前記空間部は、前記着用者の腹部の位置に対応するように前記二枚の布地の下端側に形成される、請求項１〜４の何れか１項に記載の和装用下着。
【請求項６】
前記後身頃における前記空間部は、前記着用者の腰部から臀部の位置に対応するように前記二枚の布地の下端側に形成される、請求項１〜５の何れか１項に記載の和装用下着。
【請求項７】
前記前身頃における前記二枚の布地は、その上端側において互いに分離して前記着用者の胸部の位置に対応する第２の空間部を形成可能に構成されている、請求項１〜６の何れか１項に記載の和装用下着。
【請求項８】
前記後身頃における前記二枚の布地は、その上端側において互いに分離して前記着用者の背部の位置に対応する第３の空間部を形成可能に構成されている、請求項１〜７の何れか１項に記載の和装用下着。
【手続補正２】
【補正対象書類名】明細書
【補正対象項目名】００１２
【補正方法】変更
【補正の内容】
【００１２】
詳細には、前身頃１と後身頃１は２つの肩掛け部３でのみ繋がっており、それ以外の部分は互いに分離している。これにより、着用者は着用時に胸側と背面側のそれぞれに前身頃１と後身頃２を重ねるようにすればよく、腕を通す動作が不要となるため非常に着用しやすい。また、面ファスナー５によって片方の肩掛け部３が着脱自在になっているので、和服に合わせて頭髪を整えた後の着用者が着用する際に、面ファスナー５を開放して首から回すようにして着用できるので頭髪が乱れず都合がよい。なお、面ファスナー５は、これに代えてボタン、スナップボタン、鉤ホック等を用いることも可能である。